【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
椎間板線維輪壁に存在する開口、弱化部分又は薄壁部分を修復する固着装置を使用する方法であって、
バンド部に接続されたアンカー部を少なくとも備える固着装置を用意すること、
線維輪壁に存在する開口、弱化部分又は薄壁部分を囲む部位において、前記線維輪壁の内部へ又は前記線維輪壁を貫通して、前記固着装置の前記バンド部を位置させること、
前記固着装置の前記アンカー部を椎間板組織内へ位置させること、
線維輪の前記開口、弱化部分又は薄壁部分を囲む線維輪組織を全体的に又は部分的に、互いに引き寄せるように、前記固着装置の前記バンド部に張力を掛けて引っ張りを生じさせること、又は引っ張りを許容すること、
を含んで構成されることを特徴とする方法。
【請求項２】
前記固着装置が、少なくとも１つの縫合糸を含んで構成されることを特徴とする請求項１に記載の方法。
【請求項３】
前記固着装置が、生体分解性の生体吸収性材料から形成されたことを特徴とする請求項２に記載の方法。
【請求項４】
前記アンカー部が、少なくとも１つのＴ字状のアンカーを含んで構成されることを特徴とする請求項１に記載の方法。
【請求項５】
前記アンカー部が、少なくとも１つのバーブを含んで構成されることを特徴とする請求項１に記載の方法。
【請求項６】
前記固着装置が、係止装置をさらに含んで構成されることを特徴とする請求項１に記載の方法。
【請求項７】
前記係止装置が、結び目であることを特徴とする請求項６に記載の方法。
【請求項８】
椎間板線維輪に存在する開口、弱化部分又は薄壁部分を治療する椎間板の再構築に有用な固着装置であって、
前記固着装置は、少なくとも１つのアンカー部に接続されたバンド部を含んで構成され、
前記バンド部が、線維輪の部分内へ又は当該部分を貫通して、位置させられるように構成され、
前記少なくとも１つの前記アンカー部が、線維輪の外表面の下で、椎間板組織内に配置されるように構成され、
前記バンド部を張力を掛けて引っ張ると、線維輪の開口、弱化部分又は薄壁部分を囲む線維輪組織が少なくとも部分的に互いに引き寄せられることを特徴とする固着装置。
【請求項９】
前記アンカー部が、少なくとも１つのＴ字状のアンカーを含んで構成されることを特徴とする請求項８に記載の固着装置。
【請求項１０】
前記アンカー部が、少なくとも１つのバーブを含んで構成されることを特徴とする請求項８に記載の固着装置。
【請求項１１】
前記固着装置が、少なくとも部分的に縫合材料から形成されていることを特徴とする請求項８に記載の固着装置。
【請求項１２】
前記固着装置が、係止装置をさらに含んで構成されることを特徴とする請求項８に記載の固着装置。
【請求項１３】
前記係止装置が、結び目をさらに含んで構成されることを特徴とする請求項１２に記載の固着装置。
【請求項１４】
前記少なくとも１つのアンカー部の少なくとも１つが、該少なくとも１つのアンカー部の少なくとも１つから伸長する中心部及び側部を含んで構成されることを特徴とする請求項８に記載の固着装置。
【請求項１５】
前記固着装置の少なくとも一部分が、生体適合性材料又は生体吸収性材料を含んで構成されたことを特徴とする請求項８に記載の固着装置。
【請求項１６】
前記固着装置の少なくとも一部分が、ポリマー材料を含んで構成されたことを特徴とする請求項８に記載の固着装置。
【請求項１７】
前記固着装置の少なくとも一部分が、組織の再生を促進する材料を含んで構成されたことを特徴とする請求項８に記載の固着装置。
【請求項１８】
椎間板線維輪に存在する欠損箇所を治療する方法であって、
装置送出具を用意すること、
少なくとも１つの接続部材によってそれぞれ接続された第１アンカーと第２アンカーとを備えるアンカー装置を用意すること、
椎間板の第１位置に前記装置送出具を貫通させること、
椎間板組織の前記第１位置に前記第１アンカーを配置すること、
椎間板の第２位置に前記装置送出具を貫通させること、
椎間板組織の前記第２位置に前記第２アンカーを配置すること、
前記少なくとも１つの接続部材の１つに張力を掛け、前記第１アンカーと前記第２アンカーとの間で前記少なくとも１つの接続部材の１つを短縮すること、
を含んで構成されることを特徴とする方法。
【請求項１９】
前記アンカー装置の少なくとも一部分が、生体適合性材料を含んで構成されることを特徴とする請求項１８に記載の方法。
【請求項２０】
前記アンカー装置の少なくとも一部分が、生体吸収性材料又は生体分解性材料を含んで構成されることを特徴とする請求項１８に記載の方法。
【請求項２１】
前記アンカー装置の少なくとも一部分が、椎間板組織の再生を促進する材料を含んで構成されることを特徴とする請求項１８に記載の方法。
【請求項２２】
前記少なくとも１つの接続部材が、フィラメント、縫合糸、バンド又はテンションバンドから構成されたことを特徴とする請求項１８に記載の方法。
【請求項２３】
前記アンカーが、バーブ又はＴ字状のアンカーとして構成されたことを特徴とする請求項１８に記載の方法。
【請求項２４】
前記送出具が、カニューレを挿入することを特徴とする請求項１８に記載の方法。
【請求項２５】
椎間板に存在する欠損箇所を治療する方法であって、
修復装置送出具を用意すること、
２以上のアンカーを前記修復装置送出具に装填すること、
少なくとも一部分が前記修復装置送出具の外部にある少なくとも１つの接続部材によって、２以上のアンカーを接続すること、
第１組織位置に前記修復装置送出具を位置させること、
前記修復装置送出具のイジェクションロッドを押して、前記第１組織位置に前記修復装置送出具から第１アンカーを放出すること、
前記第１組織位置から前記修復装置送出具を取り除き及び前記第２組織位置に前記修復装置送出具を位置させること、
前記修復装置送出具のイジェクションロッドを押して、前記第２組織位置に前記修復装置送出具から第２アンカーを放出すること、
を含んで構成されることを特徴とする方法。
【請求項２６】
前記アンカー又は前記接続部材の少なくとも一部分が、生体適合性材料を含んで構成されることを特徴とする請求項２５に記載の方法。
【請求項２７】
前記アンカー又は前記接続部材の少なくとも一部分が、生体吸収性材料又は生体分解性材料を含んで構成されることを特徴とする請求項２５に記載の方法。
【請求項２８】
前記アンカー又は前記接続部材の少なくとも一部分が、椎間板組織の再生を促進する材料を含んで構成されることを特徴とする請求項２５に記載の方法。
【請求項２９】
前記少なくとも１つの前記接続部材が、フィラメント、縫合糸、バンド、ワイヤ又はテンションバンドから構成されたことを特徴とする請求項２５に記載の方法。
【請求項３０】
前記アンカーが、バーブ又はＴ字状のアンカーとして構成されたことを特徴とする請求項２５に記載の方法。
【請求項３１】
前記接続部材の少なくとも１つが、短縮され得ることを特徴とする請求項２５に記載の方法。
【請求項３２】
前記送出具が、カニューレを挿入することを特徴とする請求項２５に記載の方法。
【請求項３３】
少なくとも２つの組織アンカーが、少なくとも１つの追加の接続部材と共に引っ張られることを特徴とする請求項２５に記載の方法。
【請求項３４】
椎間板線維輪に存在する欠損箇所を治療する方法であって、
少なくとも１つの伸長した送出部材を備える送出具を用意すること、
少なくとも１つの第１アンカーと第２アンカーとを含んで構成される移植片を用意し、該少なくとも１つの第１アンカーと第２アンカーとを、長さを短縮され得る少なくとも１つの軟性接続部材によってそれぞれ相互に接続すること、
椎間板の前記欠損箇所近傍の少なくとも１つの位置に前記送出具を挿入すること、
前記欠損箇所近傍の椎間板組織に少なくとも前記第１アンカー及び前記第２アンカーを送出すること、
前記接続部材を短縮すること、
を含んで構成されることを特徴とする方法。
【請求項３５】
少なくとも前記第１アンカー及び前記第２アンカーは、単一の伸長した送出部材によって送出されることを特徴とする請求項３４に記載の方法。
【請求項３６】
前記伸長した送出部材が管状であることを特徴とする請求項３４に記載の方法。
【請求項３７】
前記第１アンカー及び前記第２アンカーの少なくとも１つが、Ｔ字状のアンカーであることを特徴とする請求項３４に記載の方法。
【請求項３８】
前記第１アンカー及び前記第２アンカーの少なくとも１つが、バーブアンカーであることを特徴とする請求項３４に記載の方法。
【請求項３９】
前記第１アンカー及び前記第２アンカーの少なくとも１つが、椎間板組織に植え込まれることを特徴とする請求項３４に記載の方法。
【請求項４０】
前記接続部材の少なくとも１つが、フィラメント、縫合糸、バンド、ワイヤ又はテンションバンドから構成されたことを特徴とする請求項３４に記載の方法。
【請求項４１】
前記第１アンカー及び前記第２アンカーの少なくとも１つが、少なくとも１つの前記接続部材が通過する係止要素を含んで構成されることを特徴とする請求項３４に記載の方法。
【請求項４２】
少なくとも１つの前記接続部材が、長さが短くなるように構成された弾性カップラを含んで構成されることを特徴とする請求項３４に記載の方法。
【請求項４３】
前記接続部材の少なくとも１つが、少なくとも１つの係止部分を含んで構成されることを特徴とする請求項３４に記載の方法。
【請求項４４】
前記係止部分が、結び目を含んで構成されることを特徴とする請求項４３に記載の方法。
【請求項４５】
前記送出具が、少なくとも２つの伸長した送出部材を含んで構成されることを特徴とする請求項３４に記載の方法。
【請求項４６】
前記少なくとも２つの伸長した送出部材が、第１送出部材と第２送出部材とを含んで構成され、
前記第１組織アンカーが、前記第１送出チューブによって送出され、前記第２組織アンカーが、前記第２送出チューブによって送出されることを特徴とする請求項４５に記載の方法。
【請求項４７】
椎間板線維輪に存在する開口、弱化部分又は薄壁部分の治療に有用な修復システムであって、
処理装置と処理装置送出具とを含んで構成され、
前記送出具は、近端部と遠端部とを備える少なくとも１つのカニューレを含んで構成され、
前記遠端部は、組織貫通要素を含んで構成され、
前記近端部は、ハンドル装置に接続されており、
前記処理装置は、第１アンカーと、第２アンカーと、該第１アンカー及び該第２アンカーに接続している相互接続組立体と、を含んで構成され、前記処理装置は、前記送出具カニューレの遠端部内に少なくとも部分的に配置され、前記相互接続組立体は、前記処理装置の送出前に、前記送出具カニューレの外部に少なくとも部分的に配置され、
前記送出具は、前記送出具カニューレ内に少なくとも部分的に配置され、且つ、前記処理装置を、前記送出具の前記遠端部から線維輪に存在する開口、弱化部分又は薄壁部分を囲む組織に送出するように機能するイジェクションロッドを含んで構成され、
ることを特徴とする修復システム。
【請求項４８】
前記処理装置の前記相互接続組立体は、バンド、テザー、ワイヤ、フィラメント、又は、前記第１アンカーと前記第２アンカーとの間に位置し及び結び目によってループ内に係止される縫合糸を含んで構成されることを特徴とする請求項４７に記載の修復システム。
【請求項４９】
前記バンド、前記テザー、前記ワイヤ、前記フィラメント、前記縫合糸の一端が、前記第１アンカー及び前記第２アンカーから前記送出具カニューレの前記近端部に伸長することを特徴とする請求項４８に記載の修復システム。
【請求項５０】
前記送出具の前記遠端部は、前記貫通要素が椎間板組織を貫通する遠位の程度を制限する組織ストップ要素を含んで構成されることを特徴とする請求項４７に記載の修復システム。
【請求項５１】
前記処理装置の前記相互接続組立体は、１以上のフィラメント、バンド、ワイヤ、縫合糸又は糸を含んで構成されたことを特徴とする請求項４７に記載の修復システム。
【請求項５２】
前記２つのアンカー間における前記相互接続組立体の少なくとも一部分が、短縮され得ることを特徴とする請求項４７に記載の修復システム。
【請求項５３】
前記処理装置における前記相互接続組立体の少なくとも一部分の短縮は、係止要素の使用によって保持されることを特徴とする請求項５２に記載の修復システム。
【請求項５４】
前記処理装置の前記係止要素は、結び目、クリップ、ファスナー、又は保持具であることを特徴とする請求項５３に記載の修復システム。
【請求項５５】
前記処理装置における前記相互接続組立体の少なくとも一部分の短縮を容易にする結び目プッシャーをさらに含んで構成されることを特徴とする請求項５２に記載の修復システム。
【請求項５６】
前記処理装置の前記相互接続組立体は、
前記第１アンカーに接続され及び前記第１アンカーから伸長する第１糸状ループと、
前記第２アンカーに接続され及び前記第２アンカーから伸長する第２糸状ループと、
をさらに含んで構成されることを特徴とする請求項４７に記載の修復システム。
【請求項５７】
前記相互接続組立体は、前記第１アンカーと前記第２アンカーとに接続され及び前記第１アンカーと前記第２アンカーとから伸びる前記第１糸状ループと前記第２糸状ループとによって配置された伸長フィラメントをさらに含んで構成されることを特徴とする請求項５６に記載の修復システム。
【請求項５８】
前記処理装置アンカーが、バーブ又はＴ字状のアンカーを含んで構成されることを特徴とする請求項４７に記載の修復システム。
【請求項５９】
椎間板線維輪に存在する欠損箇所を修復する組織修復システムであって、
処理装置と処理装置送出具とを含んで構成され、
前記送出具が、それぞれ近端部と遠端部とを備える少なくとも２つの伸長送出部材を含んで構成され、
前記伸長送出部材の前記遠端部が、組織貫通要素を含んで構成され、及び、前記処理装置の送出前に、前記処理装置の少なくとも１つのアンカー要素を少なくとも部分的に受容するように構成され、
前記処理装置が、少なくとも２つのアンカー要素と、使用の際に、該少なくとも２つのアンカー要素間に掛けられる張力によって短縮され及び該短縮された状態を保持し得る、前記少なくとも２つのアンカー要素間の相互接続組立体と、を含んで構成され、
前記送出具が、前記処理装置の前記少なくとも１つのアンカー要素を前記伸長送出部材の前記遠端部から線維輪に存在する欠損箇所を囲む椎間板組織に解放するように機能する少なくとも１つのイジェクション部材を用意すること、
を特徴とする組織修復システム。
【請求項６０】
前記相互接続組立体の一端が、前記少なくとも２つのアンカー要素から前記送出具の前記近端部に伸長することを特徴とする請求項５９に記載の組織修復システム。
【請求項６１】
前記送出部材の前記遠端部が、前記貫通要素が椎間板組織を貫通する遠位の程度を制限する組織ストップ要素を含んで構成されることを特徴とする請求項５９に記載の組織修復システム。
【請求項６２】
前記相互接続組立体が、１以上のフィラメント、バンド、ワイヤ、テザー、縫合糸又は糸を含んで構成されたことを特徴とする請求項５９に記載の組織修復システム。
【請求項６３】
前記相互接続組立体の一部分の前記短縮が、係止要素の使用によって保持されることを特徴とする請求項５９に記載の組織修復システム。
【請求項６４】
前記係止要素が、結び目、クリップ、ファスナー、又は保持具であることを特徴とする請求項６３に記載の組織修復システム。
【請求項６５】
前記相互接続組立体の少なくとも一部分の前記短縮を容易にする結び目プッシャーをさらに含んで構成されることを特徴とする請求項５９に記載の組織修復システム。
【請求項６６】
前記相互接続組立体が、前記少なくとも２つのアンカー要素に接続され及び前記少なくとも２つのアンカー要素から伸長する糸状ループをさらに含んで構成されることを特徴とする請求項５９に記載の組織修復システム。
【請求項６７】
前記相互接続組立体が、前記少なくとも２つのアンカー要素に接続され及び前記少なくとも２つのアンカー要素から伸びる前記糸状ループによって配置された伸長フィラメントをさらに含んで構成されることを特徴とする請求項６６に記載の組織修復システム。
【請求項６８】
前記処理装置の前記アンカー要素が、バーブ又はＴ字状のアンカーを含んで構成されることを特徴とする請求項５９に記載の組織修復システム。
【請求項６９】
椎間板線維輪に存在する開口、弱化部分又は薄壁部分の治療に有用な修復システムであって、
処理装置と処理装置送出具とを含んで構成され、
前記送出具が、近端部と遠端部とを含んで構成され、該遠端部は、組織貫通要素を備え且つ前記処理装置を組織に送出する前に前記処理装置の２つのアンカー要素を少なくとも部分的に受容するように構成され、
前記処理装置が、２つのアンカー要素と、該アンカー要素を接続する相互接続組立体と、を含んで構成され、
前記相互接続組立体が、前記各アンカー要素に接続され且つ前記各アンカー要素から伸長するループ要素を含んで構成され、短縮可能な伸長部材が、前記アンカー要素に接続した前記ループ要素を通過し、
前記送出具が、前記処理装置を、前記送出具の遠端部から線維輪に存在する開口、弱化部分、薄壁部分を囲む組織に解放すること、
を特徴とする修復システム。
【請求項７０】
前記処理装置の前記相互接続組立体が、少なくとも１つの係止要素を含んで構成されることを特徴とする請求項６９に記載の修復システム。
【請求項７１】
前記相互接続組立体の一端が、前記ループ要素から前記送出具の近端部に伸長することを特徴とする請求項６９に記載の修復システム。
【請求項７２】
前記送出具の前記遠端部が、前記貫通要素が椎間板組織を貫通する遠位の程度を制限する組織ストップ要素を含んで構成されることを特徴とする請求項６９に記載の修復システム。
【請求項７３】
前記相互接続組立体の前記伸長部材が、１以上のフィラメント、バンド、ワイヤ、テザー、縫合糸又は糸を含んで構成されたことを特徴とする請求項６９に記載の修復システム。
【請求項７４】
前記伸長部材の前記短縮が、係止要素の使用によって保持されることを特徴とする請求項６９に記載の修復システム。
【請求項７５】
前記係止要素が、結び目、クリップ、ファスナー、又は保持具であることを特徴とする請求項７４に記載の修復システム。
【請求項７６】
前記伸長部材の前記短縮を容易にする結び目プッシャーをさらに含んで構成されることを特徴とする請求項６９に記載の修復システム。
【請求項７７】
前記処理装置の前記アンカー要素が、バーブ又はＴ字状のアンカーを含んで構成されることを特徴とする請求項６９に記載の修復システム。
【請求項７８】
椎間板線維輪に存在する開口、弱化部分又は薄壁部分の治療に有用な修復システムであって、
処理装置と処理装置送出具とを含んで構成され、
前記処理装置が、複数のアンカー要素と、該複数のアンカー要素を接続する相互接続組立体と、を含んで構成され、
前記相互接続組立体が、前記各アンカー要素に接続され且つ前記各アンカー要素から伸長するループ要素を含んで構成され、短縮可能な伸長部材が、前記アンカー要素に接続した前記ループ要素を通過し、
前記送出具が、前記処理装置を前記送出具の遠端部から線維輪に存在する開口、弱化部分、薄壁部分を囲む組織に解放すること、
を特徴とする修復システム。
【請求項７９】
前記処理装置における前記複数のアンカーの少なくとも１つが、Ｔ字状のアンカーであることを特徴とする請求項７８に記載の修復システム。
【請求項８０】
前記処理装置における前記複数のアンカーの少なくとも１つが、バーブであることを特徴とする請求項７８に記載の修復システム。
【請求項８１】
前記処理装置の前記相互接続組立体が、少なくとも１つの係止要素を含んで構成されることを特徴とする請求項７８に記載の修復システム。
【請求項８２】
前記処理装置における前記伸長部材の前記短縮が、係止要素の使用によって保持されることを特徴とする請求項７８に記載の修復システム。
【請求項８３】
前記係止要素が、結び目、クリップ、ファスナー、又は保持具であることを特徴とする請求項８２に記載の修復システム。
【請求項８４】
前記伸長部材の前記短縮を容易にする結び目プッシャーをさらに含んで構成されることを特徴とする請求項７８に記載の修復システム。
【請求項８５】
椎間板線維輪に存在する開口、弱化部分又は薄壁部分を治療する方法であって、
処理装置と処理装置送出具とを用意すること、
前記送出具は、近端部と遠端部とを備える少なくとも１つのカニューレを含んで構成され、
前記遠端部は、組織貫通要素を含んで構成され、
前記近端部は、ハンドル装置に接続されており、
前記処理装置は、第１アンカーと、第２アンカーと、該第１アンカー及び該第２アンカーに接続している相互接続組立体と、を含んで構成され、前記処理装置は、前記送出具カニューレの遠端部内に少なくとも部分的に配置され、前記相互接続組立体は、前記処理装置の送出前に、前記送出具カニューレの外部に少なくとも部分的に配置され、
前記送出具は、前記送出具カニューレ内に少なくとも部分的に配置されたイジェクションロッドを含んで構成され、
前記イジェクションロッドが、前記処理装置を、前記送出具の前記遠端部から線維輪に存在する開口、弱化部分又は薄壁部分を囲む組織に送出するように作動すること、
を含んで構成されることを特徴とする方法。
【請求項８６】
前記第１アンカーを放出するために前記イジェクションロッドを第１距離だけ押し、及び、前記第２アンカーを放出するため前記イジェクションロッドを追加距離だけ押すこと、をさらに含んで構成されることを特徴とする請求項８５に記載の方法。
【請求項８７】
前記送出具の前記遠端部が、組織ストップ要素を含んで構成され、及び、該組織ストップ要素が、前記貫通要素が椎間板組織を貫通する遠位の程度を制限すること、をさらに含んで構成されることを特徴とする請求項８５に記載の方法。
【請求項８８】
前記処理装置の前記相互接続組立体が、１以上のフィラメント、バンド、ワイヤ、テザー、縫合糸又は糸を含んで構成されたことを特徴とする請求項８５に記載の方法。
【請求項８９】
前記２つのアンカー間における前記相互接続組立体の少なくとも一部分を短縮すること、をさらに含んで構成されることを特徴とする請求項８５に記載の方法。
【請求項９０】
前記処理装置が、係止要素をさらに含んで構成され、及び、前記相互接続組立体の少なくとも一部分を短縮することは、前記相互接続部材の長さを保持する前記係止要素が、前記相互接続部材を係止すること、をさらに含んで構成されることを特徴とする請求項８５に記載の方法。
【請求項９１】
前記係止要素が、結び目、クリップ、ファスナー、又は保持具であることを特徴とする請求項９０に記載の方法。
【請求項９２】
前記相互接続組立体の少なくとも一部分を短縮することが、結び目プッシャーを用意すること、をさらに含んで構成されることを特徴とする請求項８５に記載の方法。
【請求項９３】
前記相互接続組立体は、
前記第１アンカーに接続され及び前記第１アンカーから伸長する第１糸状ループと、
前記第２アンカーに接続され及び前記第２アンカーから伸長する第２糸状ループと、
をさらに含んで構成されることを特徴とする請求項８５に記載の方法。
【請求項９４】
前記第１アンカーと前記第２アンカーとに接続され及び前記第１アンカーと前記第２アンカーとから伸びる前記第１糸状ループと前記第２糸状ループとによって伸長フィラメントを通過すること、をさらに含んで構成されることを特徴とする請求項９３に記載の方法。
【請求項９５】
前記アンカーが、バーブ又はＴ字状のアンカーを含んで構成されることを特徴とする請求項８５に記載の方法。
【請求項９６】
椎間板線維輪に存在する欠損箇所を修復する方法であって、
処理装置と処理装置送出具とを用意すること、
前記送出具が、それぞれ近端部と遠端部とを備える少なくとも２つの伸長送出部材を含んで構成され、
前記伸長送出部材の前記遠端部が、組織貫通要素を含んで構成され、及び、前記処理装置の送出前に、前記処理装置の少なくとも１つのアンカー要素を少なくとも部分的に受容するように構成され、
前記処理装置が、少なくとも２つのアンカー要素と、使用の際に、該少なくとも２つのアンカー要素間に掛けられる張力によって短縮され及び該短縮された状態を保持し得る、前記少なくとも２つのアンカー要素間の相互接続組立体と、を含んで構成され、
前記送出具が、少なくとも１つのイジェクション部材を用意し、
前記イジェクション部材が、前記処理装置の少なくとも１つのアンカー要素を前記伸長送出部材の前記遠端部から線維輪に存在する欠損箇所を囲む椎間板組織に解放するように動作すること、
を含んで構成されることを特徴とする方法。
【請求項９７】
前記送出部材の前記遠端部が、組織ストップ要素を含んで構成され、及び、該組織ストップ要素が、前記貫通要素が椎間板組織を貫通する遠位の程度を制限すること、をさらに含んで構成されることを特徴とする請求項９６に記載の方法。
【請求項９８】
前記相互接続組立体が、１以上のフィラメント、バンド、ワイヤ、テザー、縫合糸又は糸を含んで構成されたことを特徴とする請求項９６に記載の方法。
【請求項９９】
前記相互接続組立体が、係止要素をさらに含んで構成され、及び、該係止要素が、前記相互接続組立体の少なくとも一部分の短縮を保持すること、をさらに含んで構成されることを特徴とする請求項９６に記載の方法。
【請求項１００】
前記係止要素が、結び目、クリップ、ファスナー、又は保持具であることを特徴とする請求項９９に記載の方法。
【請求項１０１】
前記相互接続組立体の少なくとも一部分を短縮することが、結び目プッシャーを用意すること、をさらに含んで構成されることを特徴とする請求項９６に記載の方法。
【請求項１０２】
前記少なくとも２つのアンカー要素から伸長する糸状ループを接続すること、をさらに含んで構成されることを特徴とする請求項９６に記載の方法。
【請求項１０３】
前記少なくとも２つのアンカー要素に接続された前記糸状ループに伸長フィラメントを通すこと、をさらに含んで構成されることを特徴とする請求項１０２に記載の方法。
【請求項１０４】
前記アンカー要素が、バーブ又はＴ字状のアンカーを含んで構成されることを特徴とする請求項９６に記載の方法。
【請求項１０５】
椎間板線維輪に存在する開口、弱化部分又は薄壁部分を治療する方法であって、
処理装置と処理装置送出具とを用意すること、
前記送出具が、近端部と遠端部とを含んで構成され、該遠端部は、組織貫通要素を備え且つ前記処理装置を組織に送出する前に前記処理装置の２つのアンカー要素を少なくとも部分的に受容するように構成され、
前記処理装置が、２つのアンカー要素と、該アンカー要素を接続する相互接続組立体と、を含んで構成され、
前記相互接続組立体が、前記各アンカー要素に接続され且つ前記各アンカー要素から伸長するループ要素を含んで構成され、短縮可能な伸長部材が、前記アンカー要素に接続した前記ループ要素を通過し、
前記送出具が、前記処理装置を前記送出具の遠端部から線維輪に存在する開口、弱化部分、薄壁部分を囲む組織に解放すること、
を含んで構成されることを特徴とする方法。
【請求項１０６】
前記送出具の前記遠端部が、組織ストップ要素を含んで構成され、及び、該組織ストップ要素が、前記貫通要素が椎間板組織を貫通する遠位の程度を制限すること、をさらに含んで構成されることを特徴とする請求項１０５に記載の方法。
【請求項１０７】
前記相互接続組立体の前記伸長部材が、１以上のフィラメント、バンド、ワイヤ、テザー、縫合糸又は糸を含んで構成されたことを特徴とする請求項１０５に記載の方法。
【請求項１０８】
前記処理装置が、係止要素をさらに含んで構成され、及び、該係止要素が、前記伸長部材の前記短縮を保持すること、をさらに含んで構成されることを特徴とする請求項１０５に記載の方法。
【請求項１０９】
前記係止要素が、結び目、クリップ、ファスナー、又は保持具であることを特徴とする請求項１０８に記載の方法。
【請求項１１０】
結び目プッシャーを用意すること、及び、該結び目プッシャーが前記伸長部材を短縮すること、をさらに含んで構成されることを特徴とする請求項１０５に記載の方法。
【請求項１１１】
前記アンカー要素が、バーブ又はＴ字状のアンカーを含んで構成されることを特徴とする請求項１０５に記載の方法。
【請求項１１２】
椎間板線維輪に存在する開口、弱化部分又は薄壁部分を治療する方法あって、
処理装置と処理装置送出具とを用意すること、
前記処理装置が、複数のアンカー要素と、該複数のアンカー要素を接続する相互接続組立体と、を含んで構成され、
前記相互接続組立体が、前記各アンカー要素に接続され且つ前記各アンカー要素から伸長するループ要素を含んで構成され、短縮可能な伸長部材が、前記アンカー要素に接続した前記ループ要素を通過し、
前記処理装置を前記送出具の遠端部から線維輪に存在する開口、弱化部分、薄壁部分を囲む組織に解放すること、
を含んで構成されること特徴とする方法。
【請求項１１３】
前記複数のアンカーの少なくとも１つが、Ｔ字状のアンカーであることを特徴とする請求項１１２に記載の方法。
【請求項１１４】
前記複数のアンカーの少なくとも１つが、バーブであることを特徴とする請求項１１２に記載の方法。
【請求項１１５】
前記相互接続組立体の一端を前記ループ要素から前記送出具の前記近端部に伸長すること、をさらに含んで構成されることを特徴とする請求項１１２に記載の方法。
【請求項１１６】
前記相互接続組立体の前記伸長部材が、１以上のフィラメント、バンド、ワイヤ、テザー、縫合糸又は糸を含んで構成されたことを特徴とする請求項１１２に記載の方法。
【請求項１１７】
前記処理装置が、係止要素をさらに含んで構成され、及び、該係止要素が、前記伸長部材の前記短縮を保持すること、をさらに含んで構成されることを特徴とする請求項１１２に記載の方法。
【請求項１１８】
前記係止要素が、結び目、クリップ、ファスナー、又は保持具であることを特徴とする請求項１１７に記載の方法。
【請求項１１９】
結び目プッシャーを用意すること、及び、該結び目プッシャーが前記伸長部材を短縮すること、をさらに含んで構成されることを特徴とする請求項１１２に記載の方法。